(57)【要約】【課題】ワーク加工の作業効率を高めることが可能な搬送装置を提供すること。【解決手段】搬送装置は、ワークに対して施される付加処理を実行する付加処理部と、パレットの上方において前記付加処理部を直交二軸方向に移動させる駆動部と、付加処理のための付加処理情報に基づいて、ワークにおける特定位置に前記付加処理部を移動するように前記駆動部を制御する駆動制御部とを備える。【選択図】図１
2019188408.tif 000002
【特許請求の範囲】
【請求項１】
ワークにレーザ加工を施すレーザ加工機に前記ワークが載置されたパレットを搬送する搬送装置であって、
前記ワークに対して施される付加処理を実行する付加処理部と、
前記パレットの上方において前記付加処理部を直交二軸方向に移動させる駆動部と、
前記付加処理のための付加処理情報に基づいて、前記ワークにおける特定位置に前記付加処理部を移動するように前記駆動部を制御する駆動制御部と、
を備えた、搬送装置。
【請求項２】
請求項１に記載の搬送装置において、
前記付加処理情報は、前記レーザ加工機において実行されるレーザ加工のための加工情報と共通の座標軸情報に基づいて作成されたものである、
搬送装置。
【請求項３】
請求項１又は２に記載の搬送装置において、
前記付加処理部は、前記ワークに識別情報を印字するための印字装置である、
搬送装置。
【請求項４】
請求項１又は２に記載の搬送装置において、
前記付加処理部は、レーザ加工済みの製品ワークをピッキングするためのピッキング装置である、
搬送装置。
【請求項５】
請求項１から４のいずれか１項に記載の搬送装置において、
複数の前記パレットを支持するパレット支持部を備え、
前記レーザ加工機による加工済ワークを載置した前記パレットを前記レーザ加工機から搬出した後、連続して、未加工ワークを載置した前記パレットを前記レーザ加工機へ搬入可能に構成された、
搬送装置。
【請求項６】
請求項５に記載の搬送装置において、
前記駆動部は、前記パレット支持部の上方に配置された、
搬送装置。
【請求項７】
請求項１から６のいずれか１項に記載の搬送装置と、
前記搬送装置から前記ワークを受け取ってレーザ加工を施すレーザ加工機と、
を備えた製造システム。
【発明の詳細な説明】
【技術分野】
【０００１】
ワークを搬送する搬送装置及びワークを加工する製造システムに関する。
【背景技術】
【０００２】
近年、レーザ加工機等の加工機におけるワークの加工及び該加工に係るワークの搬入及び搬出を自動化した搬送システムが知られている。とりわけ、ワークがロードされるロードエリアと、加工後のワークがアンロードされるアンロードエリアとを備え、加工エリアでワークの加工中に、ロードエリアに加工待ちワークを準備しておき、加工後に、加工済ワークをアンロードエリアに退避させるとともに、ロードエリアから加工待ちワークを加工エリアに搬入できる搬送システムが提案されている（特許文献１参照）。
【０００３】
上述した搬送システムは、加工エリアからワークが完全にアンロードされるのを待たずに、ロードエリアに次のワークをロードできるため、加工工程以外の待機時間の低減に寄与する。
【先行技術文献】
【特許文献】
【０００４】
【特許文献１】特開２０１７−１０９２８４号公報
【発明の概要】
【発明が解決しようとする課題】
【０００５】
ワークの加工工程では、例えば、ワークの後工程で利用するための目印、溶接のための罫書きライン、製造日付、製造ロット等をワークにマーキングする処理が行われる場合がある。
【０００６】
しかし、レーザ加工機において、レーザ加工とマーキング処理とを組み合わせて実行した場合には、レーザ加工機におけるワークの滞在時間が長くなるため、作業工程全体としてみると、作業効率の低下に繋がることがあった。
【０００７】
そこで、本発明は、ワーク加工の作業効率を高めることが可能な搬送装置及び製造システムを提供することを目的とする。
【課題を解決するための手段】
【０００８】
本発明の一態様としての搬送装置は、ワークにレーザ加工を施すレーザ加工機に前記ワークが載置されたパレットを搬送する搬送装置であって、前記ワークに対して施される付加処理を実行する付加処理部と、前記パレットの上方において前記付加処理部を直交二軸方向に移動させる駆動部と、前記付加処理のための付加処理情報に基づいて、前記ワークにおける特定位置に前記付加処理部を移動するように前記駆動部を制御する駆動制御部とを備える。
【０００９】
本発明に係る搬送装置によれば、ワークに対して付加的に施される付加処理がレーザ加工機以外の付加処理部によって実行されるため、ワーク加工の作業効率を向上させることができる。
【００１０】
また、付加処理部は、駆動部によって、パレットの上方において直交二軸方向に移動可能とされており、駆動部は、付加処理のための付加処理情報に基づいて、ワークにおいて、付加処理が施される特定位置に付加処理部を移動することができる。
【発明の効果】
【００１１】
これらの態様によれば、ワーク加工の作業効率を高めることが可能な搬送装置及び製造システムを提供できる。
【図面の簡単な説明】
【００１２】
【図１】図１は、本発明の実施形態に係る搬送装置１及びレーザ加工機１００を側方からみた側面図である。
【図２】図２は、本発明の実施形態に係る搬送装置１及びレーザ加工機１００を上方からみた平面図である。
【図３】図３は、本発明の実施形態に係る搬送装置１を説明する斜視図である。
【図４】図４は、本発明の実施形態に係る搬送装置１の構成を説明するブロック図である。
【図５】図５は、本発明の実施形態に係る搬送装置１における駆動制御を説明するフローチャートである。
【図６】図６は、付加処理部としてのピッキング装置６０が適用された搬送装置１を説明する斜視図である。
【発明を実施するための形態】
【００１３】
［搬送装置の説明］
本発明の実施形態に係る搬送装置１について、図面を用いて詳細に説明する。図１は、本発明の実施形態に係る搬送装置１及びレーザ加工機１００を側方からみた側面図である。図２は、本発明の実施形態に係る搬送装置１及びレーザ加工機１００を上方からみた平面図である。また、図３は、本発明の実施形態に係る搬送装置１を説明する斜視図である。
【００１４】
搬送装置１は、ワークＷを搬送するものであり、ワークＷに熱切断加工等を施すための加工機に隣接して配置される。本実施形態では、加工機がレーザ加工機１００の場合について説明する。
【００１５】
本実施形態において、ワークＷとは、金属を板状に成形したものであり、レーザ加工機１００により所定のパーツを切断する加工或いはパーツに穴あけ加工が施されるものである。本実施形態では、レーザ加工機１００によるレーザ加工前のワークＷを未加工ワークと表し、レーザ加工済のワークＷを加工済ワークと表す。また、加工済ワークから切り抜かれたパーツを製品ワークと表し、製品にならない部分を残材ワークと表す。
【００１６】
レーザ加工機１００は、ワークＷに対してレーザ光を照射して、ワークＷに切断加工或いは穴あけ加工を施す。レーザ加工機１００は、図示しないレーザ光源、レーザ駆動部、レーザ射出部等を備え、ワークＷに対して熱密度の高いレーザ光を照射し、切断、穴あけ等の加工が可能とされている。レーザ加工機１００は、後述する外部ＰＣに接続されており、外部ＰＣを介して、ワークＷに対する加工情報を取得することができる。
【００１７】
図１に示すように、搬送装置１は、レーザ加工機１００に向けてワークＷを搬送するための搬送部１０を備える。搬送部１０は、ワークＷが載置されたパレットＰを支持して、レーザ加工機１００の搬入出口１０１に隣接する位置において待機させる。パレットＰは、所定のタイミングで、レーザ加工機１００に向けて搬送されるように構成されている。
【００１８】
また、搬送装置１は、ワークＷに対して施される付加的な処理を実行する付加処理部２０と、パレットＰの上方において直交二軸方向に付加処理部２０を移動させる駆動部３０とを備える。付加処理部２０及び駆動部３０は、レーザ加工機１００の搬入出口１０１に隣接された搬送部１０において、待機状態にあるパレットＰの上方に配置されている。
【００１９】
搬送部１０には、レーザ加工機１００に向けて延びる搬送レール１１が取り付けられている。
【００２０】
また、搬送レール１１は、レーザ加工機１００の搬入出口１０１から、レーザ加工機１００の内部の搬送部（図示しない）に連結可能とされている。これにより、ワークＷが載置されたパレットＰは、搬送レール１１に沿って、レーザ加工機１００に搬送される、或いはレーザ加工機１００から搬送部１０に向けて搬出される。本実施形態では、レーザ加工機１００に設けられた機構により、パレットＰは、ワークＷを載せた状態で、レーザ加工機１００に搬出入される。
【００２１】
パレットＰは、複数の突出した桟部（スラットという）が所定の間隔で配置された、いわゆるスキッドパレットである。
【００２２】
本実施形態において、搬送部１０は、複数のパレットＰを支持するパレット支持部１２，１３を備え、加工済ワークを載置したパレットＰをレーザ加工機１００から搬出した後、連続して、未加工ワークを載置したパレットＰをレーザ加工機１００へ搬入可能に構成された、いわゆるパレットチェンジャー機能を備える。
【００２３】
付加処理部２０は、レーザ加工以外に、ワークＷに対して施される付加的な処理を実行する。本実施形態においては、ワークＷに、特定情報を印字することのできる印字装置である。印字装置として、インクを印字対象物に吹き付けて印字するインクジェットマーカを用いることができる。本実施形態では、インクジェットマーカによる印字処理は、レーザ加工機１００への搬入前の未加工ワークに対して実行される。
【００２４】
インクジェットマーカによって、ワークＷに印字される特定情報としては、バーコード、二次元コード等の識別コードや、製造日付、製造ロット等の製品を識別するための識別情報、後工程で利用するための目印、溶接のための罫書きライン等が挙げられる。
【００２５】
駆動部３０は、ワークＷが載置されたパレットＰの上方において、搬送部１０の搬送方向（Ｘ方向という）及び搬送方向に直交する方向（Ｙ方向という）の直交二軸方向に付加処理部２０を移動可能にする。
【００２６】
駆動部３０は、付加処理部２０をセットすることのできる可動部３１と、可動部３１をＹ方向に移動させるためのＹ軸レール３２とを有するＹ軸ユニット３３と、このＹ軸ユニット３３の全体をＸ方向に移動させるためのＸ軸レール３４とを有する。また、図示されていないが、可動部３１をＹ軸レール３２に沿って移動させるためのモータ、Ｙ軸ユニット３３の全体をＸ方向に移動させるためのモータ等が備えられている。
【００２７】
本実施形態では、付加処理部２０によって付加処理が実行される前及び後は、搬送部１０により搬送されるパレットＰの上方を開放する位置に、駆動部３０の可動部３１を待機させる待機位置が設けられている。
【００２８】
また、図１及び図２には図示されていないが、搬送装置１は、駆動部３０を制御するための駆動制御部４０を備える。駆動制御部４０の詳細は後述する。駆動部３０は、駆動制御部４０により制御されて、ワークＷへ施す付加処理のための付加処理情報に基づいて、パレットＰに載置されたワークＷにおける特定位置に付加処理部２０を移動するように構成されている。
【００２９】
搬送装置１は、上述した構成を備えることにより、付加処理部２０（インクジェットマーカ）が駆動部３０によって、パレットＰに載置されたワークＷ、具体的には、未加工ワークにおいて切り抜かれる予定の製品ワークの特定位置に、識別コード、製品情報等の特定情報を印字することができる。
【００３０】
本実施形態においては、搬送装置１とレーザ加工機１００とを備えた製造システムを構成することができる。
【００３１】
［搬送装置の機能構成の説明］
図４は、本発明の実施形態に係る搬送装置１を説明するブロック図である。搬送装置１は、上述した、搬送部１０と、付加処理部２０と、駆動部３０と、これらに接続される駆動制御部４０を備える。
【００３２】
駆動制御部４０は、インタフェース４１，４２，４３を介して、搬送部１０，付加処理部２０及び駆動部３０のそれぞれと接続されている。
【００３３】
駆動制御部４０は、ＲＯＭ（Ｒｅａｄ  Ｏｎｌｙ  Ｍｅｍｏｒｙ）４４と、ＲＯＭ４４に記憶されている各種制御プログラムに従って各部を制御するＣＰＵ（Ｃｅｎｔｒａｌ  Ｐｒｏｃｅｓｓｉｎｇ  Ｕｎｉｔ）４５と、ＣＰＵ４５のワークエリアとしてのＲＡＭ（Ｒａｎｄｏｍ  Ａｃｃｅｓｓ  Ｍｅｍｏｒｙ）４６とを備える。
【００３４】
また、駆動制御部４０は、外部ＰＣと通信するための通信用インタフェース４７を備える。駆動制御部４０は、通信用インタフェース４７により、ワークＷに対する付加処理情報を、外部ＰＣから取得する。
【００３５】
本実施形態において、外部ＰＣとは、搬送装置１とは異なる装置として構成されており、搬送装置１の外部に設置されるものである。また、外部ＰＣは、レーザ加工機１００におけるレーザ加工のための加工情報及び付加処理部２０における付加処理のための付加処理情報を作成したり編集したりすることのできる制御装置である。
【００３６】
本実施形態では一例として、外部ＰＣでは、パレットＰ上におけるワークＷの座標軸に関する情報に基づく未加工ワークへの製品ワークの配置（割り付け）や、レーザ加工に伴うレーザ出力等を含むレーザ加工のための加工情報を作成するための処理が行われる。
【００３７】
また、外部ＰＣでは、パレットＰ上におけるワークＷの座標軸に関する情報に基づく、製品ワークにおける付加処理（本実施形態においては、後述するマーキング処理）を施す位置や、付加処理に関する種々の情報等を含む付加処理情報を作成するための処理が行われる。
【００３８】
外部ＰＣは、レーザ加工のための加工情報と、付加処理情報とを分離し、レーザ加工のための加工情報をレーザ加工機１００に送り、付加処理情報を駆動制御部４０を介して付加処理部２０に送るように構成されている。
【００３９】
通信用インタフェース４７としては、有線又は無線により外部ＰＣと直接接続されるものであってもよい。また、いわゆるインターネット、無線ＬＡＮ等の通信ネットワークを介する通信であってもよい。また、制御装置としては、外部ＰＣのほか、種々の情報処理端末であってもよい。
【００４０】
また、外部ＰＣは、上述の通信用インタフェース４７を介して駆動制御部４０に接続されているとともに、有線又は無線通信により直接、或いは、いわゆるインターネット、無線ＬＡＮ等の通信ネットワークを介して、レーザ加工機１００とも接続されており、レーザ加工のための加工情報を、レーザ加工機１００に送ることができる。
【００４１】
駆動制御部４０は、取得した付加処理情報を記憶するための記憶部４８を備える。記憶部４８には、搬送部１０にワークＷをレーザ加工機１００へ搬出入するための動作を実行させるためのプログラムや、駆動部３０を制御するためのプログラムが記憶されている。
【００４２】
また、駆動制御部４０は、表示部４９、操作部５０等を備え、作業者に対して搬送装置１の稼働状況を表示できる。また、作業者からワークＷに対する付加処理に関する入力を受け付けることができる。
【００４３】
本実施形態では、付加処理部２０によって、未加工ワークに対して行う付加処理として、レーザ加工により切り出されて得られる製品ワークの所定位置に特定情報を印字することができる。
【００４４】
本実施形態では、駆動制御部４０は、外部ＰＣから付加処理情報を取得し、この付加処理情報に基づいて、ワークＷにおける特定情報の印字位置を決定している。付加処理部２０が特定情報を印字するために必要なワークＷにおける印字位置の情報は、ワークＷを平面とするＸＹ座標系で特定することができる。この座標情報は、レーザ加工のための加工情報と共通化されている。
【００４５】
本実施形態においては、ワークＷは、パレットＰに載置されたままレーザ加工機１００に搬出入される。このため、ワークＷをパレットＰから取り出して、別のパレットに移動させる必要がない。
【００４６】
上述した構成を有する搬送装置１によれば、外部ＰＣから付加処理情報を取得し、この付加処理情報に基づいて、駆動部３０を制御することによって、付加処理部２０をワークＷにおける特定位置に移動させることができる。また、付加処理部２０（インクジェットマーカ）によって、ワークＷの特定位置に、バーコード、二次元コード等の識別コード、製造日付、製造ロット等の製品情報、後工程で利用される目印、溶接のための罫書きライン等を印字することができる。
【００４７】
［駆動制御の説明］
図５は、本発明の実施形態に係る搬送装置１における駆動制御を説明するフローチャートである。
【００４８】
駆動制御部４０は、搬送部１０に未加工ワークがパレットＰにセットされると、ステップＳ１において、付加処理部２０による付加処理を実行するか否か判定する。本実施形態においては、インクジェットマーカによる印字の要否を判定する。
【００４９】
駆動制御部４０は、印字が必要な場合には、ステップＳ２において、外部ＰＣに対して、付加処理のための付加処理情報を要求する。駆動制御部４０は、印字が不要な場合には、ステップＳ５に進む。
【００５０】
駆動制御部４０は、ステップＳ３において、外部ＰＣから取得した付加処理情報に含まれたＸＹ座標情報を含む付加処理情報を駆動部３０に送信する。また、ワークＷに印字するための印字用データを付加処理部２０に送信する。
【００５１】
ステップＳ４において、駆動制御部４０は、付加処理部２０及び駆動部３０からの完了信号を待機する。
【００５２】
駆動制御部４０は、付加処理部２０から付加処理の完了信号を受信すると、ステップＳ５において、レーザ加工機１００からのレーザ加工の完了信号を待機する。駆動制御部４０は、完了信号を受信すると、ステップＳ６において、搬送部１０に、ワークＷの入れ替え動作を実行する指示を送る。
【００５３】
これにより、搬送部１０において、レーザ加工機１００から搬出された加工済ワークが載置されたパレットＰが受け取られ、特定情報の印字が完了した未加工ワークが搬送部１０からレーザ加工機１００に搬入される。
【００５４】
また、ステップＳ７において、駆動制御部４０は、次のワークＷがあるか否か判定する。駆動制御部４０は、次のワークがあれば、ステップＳ１に戻り、次のワークＷがなければ、一連の処理を終了する。
【００５５】
［効果］
本実施形態に係る搬送装置１によれば、ワークＷに対して施される加工の一部である識別コード、製品情報等の特定情報のマーキング処理が、レーザ加工機１００の外において、先のワークＷに対してレーザ加工が施されている待機時間に、付加処理部２０によって実行される。
【００５６】
このため、レーザ加工機が切断加工或いは穴あけ加工以外の付加処理のために占有される時間を省略することができ、レーザ加工機１００のパフォーマンスを、レーザによる切断加工或いは穴あけ加工に注力できる。したがって、作業工程全体としての作業効率を向上させることができる。
【００５７】
また、駆動部３０によって、付加処理部２０がパレットＰの上方において直交二軸方向に移動可能とされている。また、駆動部３０は、付加処理情報に基づいて、付加処理部２０を、ワークＷにおける必要な位置に移動させることができる。
【００５８】
通常、製品ワークの製造過程においては、１つのワークＷから、残材ワークを可能な限り少なくして、複数の製品ワークを効率的に切り出すことが行われる。また、形状の異なる製品ワークを１つのワークＷに多数配置するようにデザインされる場合もあり、この場合には、特定情報の印字位置の特定処理は複雑化する。
【００５９】
これに対して、本実施形態によれば、付加処理情報に含まれたワークＷにおける印字位置を特定するためのＸＹ座標情報は、レーザ加工機１００によって使用される加工情報に含まれるＸＹ座標情報と共通化されている。
【００６０】
このため、搬送装置１は、外部ＰＣから送られた付加処理情報を使用することにより、パレットＰに載置されたワークＷの情報をＣＣＤカメラ等を用いて改めて取得してＸＹ座標情報を生成する処理等が不要であり、付加処理部２０による処理時間を短縮することができる。また、搬送装置１は、外部ＰＣから付加処理情報を取得することにより、ワークＷ上の位置を高精度で特定することができるため、ワークＷ上の正確な位置に付加処理を施すことができる。
【００６１】
また、加工済ワークでは、通常、個々の製品ワークと残材ワークとの間に切断による隙間が発生するため、搬送時などに、パレットＰに対する製品ワークの位置関係が、この隙間分だけずれる可能性がある。
【００６２】
これに対して、搬送装置１は、外部ＰＣにおいてレーザ加工のための加工情報とともに作成され、該加工情報と共通の座標軸情報を有する付加処理情報を使用することにより、製品ワークの切り出されていない未加工ワークであっても、ワークＷ上において、製品ワークになり得る予定の位置を高精度で特定できるため、製品ワークにおける所定の対応位置に、特定情報の印字を正確に行うことができる。
【００６３】
搬送装置１によれば、パレットＰの上方に付加処理部２０が移動可能に配置される。従来であれば、パレットPに対して付加処理を行う場合に、付加処理のための付加処理部を、パレットPを搬送するための搬送装置に並列して、或いは、搬送装置の搬送方向に連続する位置に設置する必要があった。これに対して、本願発明に係る搬送装置１によれば、パレットＰの上方に付加処理部２０が移動可能に配置されるため、付加処理部２０を設置するスペースを省略できる。
【００６４】
搬送部１０が、いわゆるパレットチェンジャー機能を備えることにより、前のワークＷにレーザ加工機１００においてレーザ加工が実行されている間に、次のパレットＰの搬入準備が可能となるため、レーザ加工機１００への搬出入にかかる時間を短縮することができる。これにより、作業効率を一層高めることができる。
【００６５】
また、付加処理部２０によって付加処理が実行される前及び後は、搬送部１０により搬送されるパレットＰの上方を開放する位置に、駆動部３０の可動部３１を待機させる待機位置が設けられている。このため、パレットＰの入れ替え作業を阻害することがない。
【００６６】
［変形例］
本実施形態に係る搬送装置１は、ワークＷに対する付加処理を行う付加処理部として、ピッキング装置６０を適用することも可能である。図６は、付加処理部としてのピッキング装置６０が適用された搬送装置１を説明する斜視図である。
【００６７】
ピッキング装置６０は、パレットＰに載置されたワークＷの表面に対する鉛直方向（Ｚ軸方向）に移動させるためのＺ軸レールと、図６には図示されていないモータ等から構成されるＺ軸搬送機構６１と、Ｚ軸搬送機構６１によってＺ軸方向に移動可能に取り付けられたピッキング機構６２とを有する。本変形例において、ピッキング機構６２の一例として、例えば、吸引機構、マグネット機構、クランプ機構等が挙げられる。吸引機構が使用される場合、吸引機構は、ワークに吸着するための真空パットと、負圧を発生させるための負圧発生器等を備える。
【００６８】
ピッキング装置６０が吸引機構を備える場合には、吸引機構をワークＷに押し当てるまで下降させて、負圧によってワークＷを吸引し搬送することができる。この状態で、ワークＷをＺ軸方向に上昇させて、さらに、上述の駆動部３０を動作させることにより、パレットＰの上方において、Ｘ軸方向、Ｙ軸方向にも可動とされている。
【００６９】
この構成により、加工済ワークから吸引搬送された製品ワークを、搬送部１０に並行して配置されたワーク台７０に移動することができる。
【００７０】
すなわち、ピッキング装置６０は、駆動部３０と併せることで、加工済ワークから製品ワークを取り外して仕分けする仕分装置を構成することができる。
【００７１】
本変形例においても同様に、駆動制御部４０は、外部ＰＣにおいてレーザ加工のための加工情報とともに作成され、該加工情報と共通の座標軸情報を有する付加処理情報を取得し、この付加処理情報に基づいて、ピッキング装置６０をピックアップすべきワークＷの位置に高精度に移動させることができる。
【００７２】
このため、ワークＷ上に複数種類の製品ワークが形成される場合や、小サイズの製品ワークが形成される場合であっても、精度良く、所望の製品ワークをピックアップすることが可能となる。
【００７３】
なお、本変形例において、ピッキング装置６０によって、仕分け作業が実行される前及び後は、パレットＰの上方を開放する位置に、ピッキング装置６０の待機位置が設けられている。このため、パレットＰの入れ替え作業を阻害することがない。
【００７４】
［その他の実施形態］
本実施形態では、搬送装置１は、レーザ加工機１００の代わりに、例えば、プレス機等、他の加工装置とともに用いてもよい。この場合であっても、外部ＰＣから、例えば、プレス機等、他の加工装置等において用いられる加工情報とともに作成され、該加工情報と共通の座標軸情報を有する付加処理情報を取得することができる。
【００７５】
また、搬送部１０において、付加処理が施される順番は、上述の例に限定されない。加工済ワークを載せたパレットがレーザ加工機１００から搬出され、続いて、次の未加工ワークを載せたパレットがレーザ加工機１００に搬入された後に、搬出後の加工済ワークに、上述した付加処理を実行するように構成することもできる。
【００７６】
搬送装置１では、付加処理部２０として、ワークＷに表面処理加工を施す表面処理装置が用いられてもよい。また、付加処理部２０として、パレットＰを清掃するための装置が用いられてもよい。
【００７７】
搬送装置１は、付加処理部２０をセットすることのできるＹ軸ユニット３３を、Ｘ軸レール３４の一方の端部と他方の端部とに２つ備えることもできる。例えば、上述した付加処理部２０として、一方のユニットにインクジェットマーカを備え、他方のユニットに表面処理装置を備えれば、レーザ加工機１００によるレーザ加工の待機時間の間に、複数の付加処理を実行することができる。
【００７８】
以上、本発明の実施形態について説明したが、上記実施形態は、本発明の適用例の一部を示したに過ぎず、本発明の技術的範囲を上記実施形態の具体的構成に限定する趣旨ではない。
【符号の説明】
【００７９】
１    搬送装置
１０    搬送部
１１    搬送レール
１２    パレット支持部
２０    付加処理部
３０    駆動部
３１    可動部
３２    Ｙ軸レール
３３    Ｙ軸ユニット
３４    Ｘ軸レール
４０    駆動制御部
４１    インタフェース
４４    ＲＯＭ
４５    ＣＰＵ
４６    ＲＡＭ
４７    通信用インタフェース
４８    記憶部
４９    表示部
５０    操作部
６０    ピッキング装置
６１    Ｚ軸搬送機構
６２    ピッキング機構
７０    ワーク台
１００    レーザ加工機
１０１    搬入出口
【図１】
2019188408.tif 000003
【図２】
2019188408.tif 000004
【図３】
2019188408.tif 000005
【図４】
2019188408.tif 000006
【図５】
2019188408.tif 000007
【図６】
2019188408.tif 000008
【手続補正書】
【提出日】令和1年7月30日(2019.7.30)
【手続補正１】
【補正対象書類名】特許請求の範囲
【補正対象項目名】全文
【補正方法】変更
【補正の内容】
【特許請求の範囲】
【請求項１】
ワークにレーザ加工を施すレーザ加工機に前記ワークが載置されたパレットを搬送する搬送装置であって、
前記ワークに対して施される付加処理を実行する付加処理部と、
前記パレットの上方において前記付加処理部を直交二軸方向に移動させる駆動部と、
前記付加処理のための付加処理情報に基づいて、前記ワークにおける特定位置に前記付加処理部を移動するように前記駆動部を制御する駆動制御部と、
を備え、
前記パレットの上方を開放する位置に前記付加処理部の待機位置と前記駆動部とを有する、搬送装置。
【請求項２】
請求項１に記載の搬送装置において、
前記付加処理情報は、前記レーザ加工機において実行されるレーザ加工のための加工情報と共通の座標軸情報に基づいて作成されたものである、
搬送装置。
【請求項３】
請求項１又は２に記載の搬送装置において、
前記付加処理部は、前記ワークに識別情報を印字するための印字装置である、
搬送装置。
【請求項４】
請求項１又は２に記載の搬送装置において、
前記付加処理部は、レーザ加工済みの製品ワークをピッキングするためのピッキング装置である、
搬送装置。
【請求項５】
請求項１から４のいずれか１項に記載の搬送装置において、
複数の前記パレットを支持するパレット支持部を備え、
前記レーザ加工機による加工済ワークを載置した前記パレットを前記レーザ加工機から搬出した後、連続して、未加工ワークを載置した前記パレットを前記レーザ加工機へ搬入可能に構成された搬送部を有し、
前記搬送部に前記駆動部が設けられる、
搬送装置。
【請求項６】
請求項５に記載の搬送装置において、
前記駆動部は、前記パレットの搬送方向に沿って延在する一対のＸ軸レールと、前記パレットの搬送方向と直交する方向に沿って延在するＹ軸レールと、前記付加処理部を前記Ｙ軸レールに沿って移動させる可動部と、前記可動部及び前記Ｙ軸レールと前記Ｘ軸レールに沿って移動させる移動部とを含み、
前記一対のＸ軸レールは、平面視において、前記パレット支持部に支持される前記パレットに重ならない位置に配置されるとともに、前記搬送方向における前記レーザ加工機側と反対側のそれぞれの端部が、少なくとも前記パレットの支持面を超えて延在し、
前記Ｙ軸レールは、前記一対のＸ軸レールに跨がって設けられ、
前記Ｘ軸レールの少なくとも前記反対側の端部に前記待機位置が構成される、
搬送装置。
【請求項７】
請求項１から６のいずれか１項に記載の搬送装置と、
前記搬送装置から前記ワークを受け取ってレーザ加工を施すレーザ加工機と、
を備えた製造システム。
【手続補正２】
【補正対象書類名】明細書
【補正対象項目名】０００８
【補正方法】変更
【補正の内容】
【０００８】
本発明の一態様としての搬送装置は、ワークにレーザ加工を施すレーザ加工機に前記ワークが載置されたパレットを搬送する搬送装置であって、前記ワークに対して施される付加処理を実行する付加処理部と、前記パレットの上方において前記付加処理部を直交二軸方向に移動させる駆動部と、前記付加処理のための付加処理情報に基づいて、前記ワークにおける特定位置に前記付加処理部を移動するように前記駆動部を制御する駆動制御部と、を備え、前記パレットの上方を開放する位置に前記付加処理部の待機位置と前記駆動部とを有する。